(57)【特許請求の範囲】
【請求項１】
液体の流路に接続されて当該液体を流通させ得る導入口及び導出口が形成されるとともに、その流通させた液体を採取可能な採取口が形成された透析液取出手段と、
該透析液取出手段の採取口を覆った閉位置及び当該採取口を開放させた開位置の間で移動可能な開閉手段と、
前記採取口をシールするシール手段と、
を具備した透析液取出装置において、
前記開閉手段に取り付けられ、当該開閉手段が閉位置にあるとき前記採取口及びシール手段に向けて紫外線を照射し得る紫外線照射手段を具備したことを特徴とする透析液取出装置。
【請求項２】
前記シール手段は、
前記採取口の周縁に形成されたシール部材と、
該シール部材に当接して前記採取口をシールするとともに、当該シール部材から離間して前記採取口から液体を採取可能とされた駒部材と、
を有し、前記紫外線照射手段は、前記シール部材及び駒部材に紫外線を照射可能とされたことを特徴とする請求項１記載の透析液取出装置。
【請求項３】
前記駒部材は、前記紫外線照射手段から照射された紫外線を周囲に反射又は透過させ得ることを特徴とする請求項２記載の透析液取出装置。
【請求項４】
前記駒部材は、前記紫外線照射手段から照射された紫外線の反射又は透過を任意調整可能な調整部が形成されたことを特徴とする請求項３記載の透析液取出装置。
【請求項５】
前記紫外線照射手段は、通電により紫外線を照射可能な紫外線ＬＥＤから成ることを特徴とする請求項１〜４の何れか１つに記載の透析液取出装置。
【請求項６】
前記紫外線ＬＥＤの紫外線発光部には、紫外線を拡散させつつ照射させ得るレンズが取り付けられたことを特徴とする請求項５記載の透析液取出装置。
【発明の詳細な説明】
【技術分野】
【０００１】
本発明は、液体の流路に接続されて当該液体を流通させ得る導入口及び導出口が形成されるとともに、その流通させた液体を採取可能な採取口が形成された透析液取出手段と、
該透析液取出手段の採取口を覆った閉位置及び当該採取口を開放させた開位置の間で移動可能な開閉手段とを具備した透析液取出装置に関するものである。
【背景技術】
【０００２】
近時において、血液浄化装置としての透析装置では透析治療（特に、オンラインＨＤＦ又はオンラインＨＦ）時においてダイアライザに供給するための透析液を用いてプライミング、返血及び補液（緊急補液）を行う技術や、当該透析液をオンラインＨＤＦやオンラインＨＦの治療のための置換液として利用する技術が提案されるに至っている。例えば、特許文献１には、一端が透析液導入ラインの所定部位に形成された透析液取出ポート（採取口）に接続されるとともに、他端が血液回路（動脈側血液回路又は静脈側血液回路）に接続された補液ラインと、補液ラインに配設された補液ポンプとを具備した透析装置が開示されている。かかる透析装置により、プライミング、返血又は補液（緊急補液）を行うには、補液ポンプを駆動させることにより、透析液導入ラインの透析液を血液回路（動脈側血液回路又は静脈側血液回路）に供給するようになっている。
【０００３】
通常、かかる透析液取出ポートに対してキャップ（開閉手段）が脱着自在とされており、当該キャップを取り外して補液ライン等を接続させるとともに、補液ライン等を接続しない場合は、キャップを取り付けて透析液導入ラインを流れる透析液が外部に漏れ出ないようになっている。例えば、透析液導入ラインや透析液排出ライン等の透析液が流通する配管を洗浄及び消毒するには、採取口にキャップを取り付けた状態として当該配管にて洗浄水や消毒水を流通させることにより、洗浄水や消毒液が外部に漏れ出てしまうのを防止している。
【０００４】
しかるに、採取口にシリンジや接続ラインを挿入する際に、細菌が付着する虞があるため、清浄化を図るべく、アルコール等により医療従事者等の作業員が都度消毒作業を行っていた。また、採取口に脱着可能なキャップ（特に、採取口をシールするためのシール手段）においても、採取口と同様に、アルコール等により医療従事者等の作業員が都度消毒作業を行っており、消毒作業に手間がかかっていた。かかる事情により、従来より、細菌の繁殖を抑制するため、キャップが取り付けられた状態の採取口に透析液を常に流通させるものが提案されている（例えば特許文献２参照）。
【先行技術文献】
【特許文献】
【０００５】
【特許文献１】特開２００４−３１３５２２号公報
【特許文献２】特許第５２０５４９６号公報
【発明の概要】
【発明が解決しようとする課題】
【０００６】
しかしながら、上記従来の透析液取出装置においては、キャップが取り付けられた状態の採取口に透析液を常に流通させることにより細菌の繁殖を抑制しているものの、採取口を殺菌し得るものではなく、殺菌効果を期待できないという不具合があった。しかして、作業者による殺菌作業を不要としつつ採取口の殺菌を行わせたいというニーズが高まりつつあった。
【０００７】
本発明は、このような事情に鑑みてなされたもので、作業者による殺菌作業を不要としつつ採取口を殺菌することができる透析液取出装置を提供することにある。
【課題を解決するための手段】
【０００８】
請求項１記載の発明は、液体の流路に接続されて当該液体を流通させ得る導入口及び導出口が形成されるとともに、その流通させた液体を採取可能な採取口が形成された透析液取出手段と、該透析液取出手段の採取口を覆った閉位置及び当該採取口を開放させた開位置の間で移動可能な開閉手段と、前記採取口をシールするシール手段とを具備した透析液取出装置において、前記開閉手段に取り付けられ、当該開閉手段が閉位置にあるとき前記採取口及びシール手段に向けて紫外線を照射し得る紫外線照射手段を具備したことを特徴とする。
【００１０】
請求項２記載の発明は、請求項１記載の透析液取出装置において、前記シール手段は、前記採取口の周縁に形成されたシール部材と、該シール部材に当接して前記採取口をシールするとともに、当該シール部材から離間して前記採取口から液体を採取可能とされた駒部材とを有し、前記紫外線照射手段は、前記シール部材及び駒部材に紫外線を照射可能とされたことを特徴とする。
【００１１】
請求項３記載の発明は、請求項２記載の透析液取出装置において、前記駒部材は、前記紫外線照射手段から照射された紫外線を周囲に反射又は透過させ得ることを特徴とする。
【００１２】
請求項４記載の発明は、請求項３記載の透析液取出装置において、前記駒部材は、前記紫外線照射手段から照射された紫外線の反射又は透過を任意調整可能な調整部が形成されたことを特徴とする。
【００１３】
請求項５記載の発明は、請求項１〜４の何れか１つに記載の透析液取出装置において、前記紫外線照射手段は、通電により紫外線を照射可能な紫外線ＬＥＤから成ることを特徴とする。
【００１４】
請求項６記載の発明は、請求項５記載の透析液取出装置において、前記紫外線ＬＥＤの紫外線発光部には、紫外線を拡散させつつ照射させ得るレンズが取り付けられたことを特徴とする。
【発明の効果】
【００１５】
請求項１の発明によれば、開閉手段に取り付けられ、当該開閉手段が閉位置にあるとき採取口に向けて紫外線を照射し得る紫外線照射手段を具備したので、作業者による殺菌作業を不要としつつ採取口を殺菌することができる。
【００１６】
また、採取口をシールするシール手段が配設されるとともに、紫外線照射手段は、当該シール手段に紫外線を照射可能とされたので、採取口に加え、その採取口に配設されたシール手段の殺菌を行うことができる。
【００１７】
請求項２の発明によれば、シール手段は、採取口の周縁に形成されたシール部材と、該シール部材に当接して採取口をシールするとともに、当該シール部材から離間して採取口から液体を採取可能とされた駒部材とを有し、紫外線照射手段は、シール部材及び駒部材に紫外線を照射可能とされたので、採取口に加え、その採取口に配設されたシール部材及び駒部材の殺菌を行うことができる。
【００１８】
請求項３の発明によれば、駒部材は、紫外線照射手段から照射された紫外線を周囲に反射又は透過させ得るので、駒部材の周囲に位置する所望部位に紫外線を照射させることができる。
【００１９】
請求項４の発明によれば、駒部材は、紫外線照射手段から照射された紫外線の反射又は透過を任意調整可能な調整部が形成されたので、駒部材の周囲に位置する所望部位に紫外線をより確実に照射させることができる。
【００２０】
請求項５の発明によれば、紫外線照射手段は、通電により紫外線を照射可能な紫外線ＬＥＤから成るので、小型化が可能とされ、開閉手段に容易に取り付けることができるとともに、メンテナンスも容易である。
【００２１】
請求項６の発明によれば、紫外線ＬＥＤの紫外線発光部には、紫外線を拡散させつつ照射させ得るレンズが取り付けられたので、紫外線ＬＥＤからの紫外線をより適切な範囲で照射させることができる。
【図面の簡単な説明】
【００２２】
【図１】本発明の透析液取出装置が適用される透析液生成装置を示す模式図
【図２】同透析液取出装置（開閉手段が開位置）を示す平面図
【図３】同透析液取出装置（開閉手段が閉位置）を示す平面図及び側面図
【図４】図３におけるＩＶ−ＩＶ線断面図
【図５】同透析液取出装置における透析液取出手段を示す断面図であって、（ａ）シール手段によってシールされた状態、（ｂ）シリンジＳを駒部材に当接させた状態、（ｃ）シリンジＳを押圧してシール手段によるシールを解いた状態を示す模式図
【図６】同透析液取出装置における透析液取出手段の採取口を開閉手段で覆い、紫外線を照射させた状態を示す断面図
【図７】同透析液取出装置におけるシール部材を示す正面図
【図８】他の形態のシール部材を示す模式図であって、（ａ）正面図、（ｂ）縦断面図
【図９】本発明の他の実施形態に係る透析液取出装置が適用される血液浄化装置を示す模式図
【図１０】同透析液取出装置における透析液取出手段及び開閉手段（開位置）を示す断面図
【図１１】同透析液取出装置における透析液取出手段及び開閉手段（閉位置）を示す断面図
【図１２】本発明の更に他の実施形態に係る透析液取出装置における透析液取出手段を示す平面図
【図１３】同透析液取出装置における透析液取出手段及び開閉手段（閉位置）を示す断面図
【図１４】紫外線照射手段による殺菌効果を示すグラフ
【発明を実施するための形態】
【００２３】
以下、本発明の実施形態について図面を参照しながら具体的に説明する。
本実施形態に係る透析液取出装置は、透析用原液（Ａ剤及びＢ剤）を混合して所定濃度の透析液を作製し、その透析液を透析装置に供給するための透析液供給装置に配設され、Ｂ原液及び作製された透析液をそれぞれ採取可能とされたものである。適用される透析液供給装置は、図１に示すように、水が流動するとともにその水量を計測する水計量手段ａが配設された水供給ラインＬｗと、注入ポンプＰ１が接続されるとともにＡ剤を溶解して得られた透析用原液（Ａ原液）を流動させる原液ラインＬａと、注入ポンプＰ２が接続されるとともにＢ剤を溶解して得られた透析用原液（Ｂ原液）を流動させる原液ラインＬｂと、水供給ラインＬｗの水と原液ラインＬｂのＢ原液とを混合させ得るミキシングチャンバＣ１と、ミキシングチャンバＣ１で水と混合されたＢ原液と原液ラインＬａのＡ原液とを混合させ得るミキシングチャンバＣ２と、貯槽Ｄと、送液ポンプＰ３とを主に有して構成されている。
【００２４】
しかして、ミキシングチャンバＣ１、Ｃ２を経て所定濃度に作製された透析液は、貯槽Ｄに収容されるとともに、送液弁Ｖ１を開状態としつつ送液ポンプＰ３を駆動させることにより、治療室における透析装置に貯槽Ｄ内の透析液を送液可能とされている。また、排液弁Ｖ２を開状態とすることにより、貯槽Ｄ内の透析液を排液として外部に排出可能とされている。なお、図中符号ｂは流通する液体の濃度を検出するための電導度セルを示している。
【００２５】
本実施形態に係る透析液取出装置Ａは、ミキシングチャンバＣ１にて水と混合されたＢ原液の流路と、貯槽Ｄ内の透析液が流通する流路との両方に取り付けられ、それぞれで流通する液体を採取可能とされたもので、図２、３に示すように、液体（本実施形態においてはＢ原液及び所定濃度に調製された透析液）の流路に接続されて当該液体を流通させ得る導入口１ａ及び導出口１ｂが形成されるとともに、その流通させた液体を採取可能な採取口１ｃが形成された透析液取出手段１と、透析液取出手段１の採取口１ｃを覆った閉位置（図３参照）及び当該採取口１ｃを開放させた開位置（図２参照）の間で移動可能な開閉手段６とを具備して構成されている。
【００２６】
また、本実施形態に係る透析液取出装置Ａは、透析液取出手段１が取り付けられた基台Ｍと、該基台Ｍに摺動自在とされつつ開閉手段６が取り付けられたスライド部材Ｌとを有して構成されており、スライド部材Ｌをスライドさせることにより、開閉手段６が透析液取出手段１の採取口１ｃを覆った閉位置（図３の位置）と、採取口１ｃを開放させた開位置（図２）との間で摺動し得るようになっている。スライド部材Ｌには、一対の切り欠きＬｓが形成されているとともに、基台Ｍには、開閉手段６が閉位置のとき当該切り欠きＬｓと合致して嵌合し得るストッパＭａが形成されている。これにより、ストッパＭａに切り欠きＬｓが嵌合されるまでスライド部材Ｌを摺動させることにより、開閉手段６が採取口１ｃを覆うようになっている。なお、本実施形態においては、ストッパＭａに切り欠きＬｓが嵌合されるまでスライド部材Ｌが摺動して開閉手段６が閉位置とされたことを検知するセンサｓが取り付けられている。
【００２７】
さらに、本実施形態に係る透析液取出手段１には、図４、５に示すように、採取口１ｃをシールするシール手段Ｎが配設されている。このシール手段Ｎは、採取口１ｃの周縁に形成されたシール部材２と、シール部材２に当接して採取口１ｃをシールするとともに、当該シール部材２から離間して採取口１ｃから液体を採取可能とされた駒部材３と、駒部材３をシール部材２に当接させる方向に付勢するバネ４と、バネ４が取り付けられるとともに駒部材３をシール部材２と当接した位置から離間した位置まで摺動させ得る支持部材５とを具備している。
【００２８】
シール部材２は、採取口１ｃと連続して形成されて透析液取出手段１内を流通する液体を外部に導き得る孔の縁部に固定された円環状部材から成り、例えば樹脂やゴム材等にて構成されている。そして、シール部材２の裏面側（図４、５における下側）に駒部材３の上面（当接面）が当接することにより、採取口１ｃが閉止されてシールされるようになっている。かかる駒部材３の上面には、図７に示すように、十字に形成された溝３ａが形成されており、図５（ｂ）〜同図（ｃ）に示すように、シリンジＳの先端にて駒部材３が押圧された際、透析液取出手段１内の液体が溝３ａを介して採取し得るようになっている。
【００２９】
しかして、バネ４の付勢力で駒部材３がシール部材２に押圧されてシールされた状態（図５（ａ））において、採取口１ｃから外部に臨んだ駒部材３の上面にシリンジＳの先端を当接させ（同図（ｂ））、当該シリンジＳを採取口１ｃに押し込むことにより、駒部材３がバネ４の付勢力に抗して支持部材５で案内されつつ摺動する（同図（ｃ））。これにより、シール部材２から駒部材３が離間して採取口１ｃのシールが解かれるので、シリンジＳによって透析液取出手段１内の液体を採取することができる。
【００３０】
ここで、本実施形態に係る透析液取出装置Ａは、図４、６に示すように、開閉手段６が取り付けられ、当該開閉手段６が閉位置にあるとき採取口１ｃに向けて紫外線を照射し得る紫外線照射手段７を具備している。かかる紫外線照射手段７は、通電により紫外線を照射可能な紫外線ＬＥＤから成り、当該紫外線ＬＥＤの紫外線発光部には、紫外線を拡散させつつ照射させ得るレンズ８が取り付けられている。また、紫外線照射手段７は、ガラス等の材質から成るカバー部材Ｇにて覆われており、防水及び防滴が図られるようになっている。なお、図中符号９は、紫外線ＬＥＤが取り付けられた基板を示している。
【００３１】
そして、紫外線照射手段７に電圧を付与して紫外線を照射させると、その紫外線がレンズ８を介して採取口１ｃ及びシール手段Ｎ（シール部材２及び駒部材３等）に至り、紫外線にて殺菌することができる。紫外線照射手段７による紫外線の照射は、開閉手段６が閉位置にあるとき連続的或いは断続的に行うよう構成するのが好ましいが、開閉手段６が閉位置とされてから所定時間だけ行うようにしてもよい。また、スライド部材Ｌが摺動して開閉手段６が閉位置とされたことをセンサが検知したことを条件として、紫外線照射手段７による紫外線の照射を開始するのが好ましい。
【００３２】
本実施形態によれば、開閉手段６に取り付けられ、当該開閉手段６が閉位置にあるとき採取口１ｃに向けて紫外線を照射し得る紫外線照射手段７を具備したので、作業者による殺菌作業を不要としつつ採取口１ｃを殺菌することができる。また、採取口１ｃをシールするシール手段Ｎが配設されるとともに、紫外線照射手段７は、当該シール手段Ｎに紫外線を照射可能とされたので、採取口１ｃに加え、その採取口１ｃに配設されたシール手段Ｎの殺菌を行うことができる。
【００３３】
さらに、本実施形態に係るシール手段Ｎは、採取口１ｃの周縁に形成されたシール部材２と、該シール部材２に当接して採取口１ｃをシールするとともに、当該シール部材２から離間して採取口１ｃから液体を採取可能とされた駒部材３とを有し、紫外線照射手段７は、シール部材２及び駒部材３に紫外線を照射可能とされたので、採取口１ｃに加え、その採取口１ｃに配設されたシール部材２及び駒部材３の殺菌を行うことができる。
【００３４】
また、駒部材３は、紫外線照射手段７から照射された紫外線を周囲に反射又は透過させ得るものとするのが好ましい。例えば、駒部材３を石英ガラス等の透明材料から成るものとすれば、紫外線を透過（透過の際に屈折させるものを含む）させることができるとともに、駒部材３を例えば金属等の表面が鏡面とされた紫外線を反射し得る材料から成るものとすれば、紫外線を反射（乱反射させるものを含む）させることができる。これにより、駒部材３の周囲に位置する所望部位（例えば、シール部材２の裏面側や支持部材５における駒部材３の摺動部等）に紫外線を照射させることができる。
【００３５】
またさらに、図８に示すように、上面に円弧状の凸部３’ｂが形成され、当該凸部３’ｂに十字の溝３’ａが形成された駒部材３’を用いるようにしてもよい。かかる凸部３’ｂは、紫外線照射手段７から照射された紫外線の反射又は透過を任意調整可能な調整部を構成するもので、表面の弧状によって、例えば紫外線の反射角度を任意に調整し、或いは透過する紫外線を所定角度に屈折させることができる。これにより、駒部材３’の周囲に位置する所望部位（例えば、シール部材２の裏面側や支持部材５における駒部材３の摺動部等）に紫外線をより確実に照射させることができる。
【００３６】
特に、本実施形態に係る紫外線照射手段７は、通電により紫外線を照射可能な紫外線ＬＥＤから成るので、小型化が可能とされ、開閉手段６に容易に取り付けることができるとともに、紫外線ランプ等に比べて、メンテナンスも容易である。さらに、紫外線ＬＥＤの紫外線発光部には、紫外線を拡散させつつ照射させ得るレンズ８が取り付けられたので、紫外線ＬＥＤからの紫外線をより適切な範囲で照射させることができる。
【００３７】
次に、本発明に係る他の実施形態について説明する。
本実施形態に係る透析液取出装置は、血液浄化治療（血液透析治療）で使用される血液浄化装置に配設され、透析液を採取可能とされたものである。適用される血液浄化装置は、図９に示すように、血液回路（不図示）に接続されるダイアライザ１０（血液浄化器）と、ダイアライザ１０に透析液を導入可能な透析液導入ラインＬ１と、ダイアライザ１０からの排液を排出可能な透析液排出ラインＬ２と、複式ポンプ１１と、除水ポンプ１２とを有して構成されている。同図中符号ｆは、透析液導入ラインＬ１に接続された濾過フィルタを示している。
【００３８】
ダイアライザ１０は、血液回路にて体外循環する血液を浄化するためのもので、血液回路の基端が接続される接続ポート１０ａ、１０ｂと、透析液導入ラインＬ１及び透析液排出ラインＬ２がそれぞれ接続される接続ポート１０ｃ、１０ｄとを有している。複式ポンプ１１は、透析液導入ラインＬ１及び透析液排出ラインＬ２を跨って配設され、透析液導入ラインＬ１を介してダイアライザ１０に透析液を供給しつつ透析液排出ラインＬ２を介してダイアライザ１０からの排液を排出させるものである。なお、透析液排出ラインＬ２には、複式ポンプ１１をバイパスさせるバイパスラインが接続されており、そのバイパスラインに除水ポンプ１２が接続されている。
【００３９】
ここで、透析液導入ラインＬ１には、本発明の他の実施形態に係る透析液取出装置Ｂが接続されている。本実施形態に係る透析液取出装置Ｂは、図１０、１１に示すように、透析液導入ラインＬ１（液体の流路）に接続されて当該液体（透析液）を流通させ得る導入口１３ａ及び導出口１３ｂが形成されるとともに、その流通させた液体を採取可能な採取口１３ｃが形成された透析液取出手段１３と、開閉手段１４と、シール部材１５とを具備したものである。
【００４０】
より具体的には、透析液取出手段Ｂは、その導入口１３ａ及び導出口１３ｂのそれぞれに透析液導入ラインＬ１が接続され、内部に透析液を流通可能とされたもので、その流路（導入口１３ａから導出口１３ｂに向かって透析液が流れる流路）は、略９０度折れ曲がってＬ字状に延設されているとともに、採取口１３ｃは、導入口１３ａに対して略同一直線上に位置するよう形成されている。さらに、採取口１３ｃは、開閉手段１４を取り外した状態でシリンジや接続ライン（何れも不図示）等が接続されるもので、その周囲に壁部１３ｄが形成されている。
【００４１】
開閉手段１４は、透析液取出手段１３の採取口１３ｃを覆った閉位置（図１１参照）及び当該採取口１３ｃを開放させた開位置（図１０参照）の間で移動可能とされたもので、シール部材１５と、紫外線照射手段１６を有している。シール部材１５は、図１１に示すように、開閉手段１４が閉位置にあるとき、壁部１３ｄの外周面を覆って採取口１３ｃの周囲（壁部１３ｄの内側）をシール可能とされたものである。
【００４２】
本実施形態においては、開閉手段１４が閉位置にあるとき、導入口１３ａから導入されて採取口１３ｃから吐出した液体は、壁部１３ｄの内側にてシールされた空間に至り、流路ｇを介して導出口１３ｂから導出されるようになっている。これにより、開閉手段１４が閉位置にあるときであっても、採取口１３ｃにて透析液を常に流動させることができ、細菌の繁殖を抑制することができる。
【００４３】
本実施形態に係る開閉手段１４は、軸部材２０を中心として回動することによって、開位置（図１０）と閉位置（図１１）との間を移動可能とされている。なお、開閉手段１４には、ロック部材Ｒが形成されており、開位置にあるとき、当該ロック部材Ｒが被ロック部材Ｔａに係止して開位置にてロックし得る（図１０参照）とともに、閉位置にあるとき、当該ロック部材Ｒが被ロック部材Ｔｂに係止して閉位置にてロックし得る（図１１参照）ようになっている。
【００４４】
本実施形態に係る紫外線照射手段１６は、開閉手段１４に取り付けられ、当該開閉手段１４が閉位置にあるとき採取口１３ｃに向けて紫外線を照射し得るもので、先の実施形態と同様、通電により紫外線を照射可能な紫外線ＬＥＤから成り、当該紫外線ＬＥＤの紫外線発光部には、紫外線を拡散させつつ照射させ得るレンズ１７が取り付けられている。なお、図中符号１８は、紫外線ＬＥＤが取り付けられた基板を示している。
【００４５】
そして、紫外線照射手段１６に電圧を付与して紫外線を照射させると、その紫外線がレンズ１７を介して採取口１３ｃ及び壁部１３ｄの内側に至り、紫外線にて殺菌することができる。紫外線照射手段１６による紫外線の照射は、開閉手段１４が閉位置にあるとき連続的或いは断続的に行うよう構成するのが好ましいが、開閉手段１４が閉位置とされてから所定時間だけ行うようにしてもよい。
【００４６】
さらに、開閉手段１４が開位置にあるとき、紫外線照射手段１６と対向する位置には、対向部材１９が固定されている。かかる対向部材１９は、少なくとも紫外線照射手段１６と対向する面１９ａが鏡面加工されており、開閉手段１４が開位置にあるとき、紫外線照射手段１６から紫外線を照射させると、面１９ａにて反射し、開閉手段１４及びシール部材１５に照射可能とされている。これにより、開閉手段１４が閉位置にあるときに加え、開位置にあるときも、紫外線照射による殺菌を行うことができる。
【００４７】
次に、本実施形態に係る紫外線照射手段による殺菌効果について以下に説明する。
図６で示す先の実施形態における透析液取出手段１の採取口１ｃに枯草菌を含んだ液体を垂らした後、同図で示す開閉手段６を閉状態とし、紫外線照射手段７から紫外線を照射（１秒照射した後、１０秒照射停止する動作を繰り返し）する実験を行い、横軸に紫外線照射経過時間（Ｈ）、縦軸に菌発数（個）とした表を作成したところ、図１４に示すような結果となった。これにより、本実施形態の如く紫外線照射による殺菌効果が高いことが分かった。なお、縦軸においては、枯草菌が付着した採取口１ｃを綿棒にて拭い、培地に入れて培養したときの菌発数を示している。
【００４８】
本実施形態によれば、開閉手段１４に取り付けられ、当該開閉手段１４が閉位置にあるとき採取口１３ｃに向けて紫外線を照射し得る紫外線照射手段１６を具備したので、作業者による殺菌作業を不要としつつ採取口を殺菌することができる。特に、紫外線照射手段１６は、通電により紫外線を照射可能な紫外線ＬＥＤから成るので、小型化が可能とされ、開閉手段に容易に取り付けることができるとともに、メンテナンスも容易である。さらに、紫外線ＬＥＤの紫外線発光部には、紫外線を拡散させつつ照射させ得るレンズ１７が取り付けられたので、紫外線ＬＥＤからの紫外線をより適切な範囲で照射させることができる。
【００４９】
以上、本実施形態について説明したが、本発明はこれらに限定されず、例えば図１２、１３に示すように、液体を導入する導入口２１ａ及び液体を導出する導出口２１ｂを有するとともに、採取口２１ｃを有し、当該採取口２１ｃをシールするシール手段２２を具備した透析液取出手段２１であって、シール手段２２がシリコンブロックやゴム材等から成るものとしてもよい。この場合であっても、図１３に示すように、開閉手段６が閉位置にあるとき、開閉手段６に配設された紫外線照射手段７からシール手段２２に向けて紫外線を照射し、殺菌するものとされている。
【００５０】
また、本実施形態に係る紫外線照射手段は、紫外線ＬＥＤから成るものとされているが、紫外線を照射し得る他の手段（紫外線ランプ等）であってもよく、レンズ８、１７等を具備しないものであってもよい。さらに、透析液取出手段の形状や取り付けられる部位、開閉手段の形態等、他のものであってもよい。
【産業上の利用可能性】
【００５１】
開閉手段に取り付けられ、当該開閉手段が閉位置にあるとき採取口及びシール手段に向けて紫外線を照射し得る紫外線照射手段を具備した透析液取出装置であれば、外観形状が異なるもの或いは他の機能が付加されたもの等にも適用することができる。
【符号の説明】
【００５２】
１…透析液取出手段
２…シール部材
３…駒部材
４…バネ
５…支持部材
６…開閉手段
７…紫外線照射手段
８…レンズ
９…基板
１０…ダイアライザ（血液浄化器）
１１…複式ポンプ
１２…除水ポンプ
１３…透析液取出手段
１４…開閉手段
１５…シール部材
１６…紫外線照射手段
１７…レンズ
１８…基板
１９…対向部材
２０…軸部材
２１…透析液取出手段
２２…シール手段
【図１】
0006563249.tif 000002
【図２】
0006563249.tif 000003
【図３】
0006563249.tif 000004
【図４】
0006563249.tif 000005
【図５】
0006563249.tif 000006
【図６】
0006563249.tif 000007
【図７】
0006563249.tif 000008
【図８】
0006563249.tif 000009
【図９】
0006563249.tif 000010
【図１０】
0006563249.tif 000011
【図１１】
0006563249.tif 000012
【図１２】
0006563249.tif 000013
【図１３】
0006563249.tif 000014
【図１４】
0006563249.tif 000015